(57)【特許請求の範囲】
【請求項１】
ベース部材と、床荷重を支受する支受部材とを備え、上記ベース部材と支受部材との間において支受部材の高さ調節を可能となるように構成された床荷重支持具であって、
上記ベース部材には上端部にナット受部が一体的に設けられた筒状のポスト部材が立設されるとともに、上記支受部材には支受部材の高さ調節を可能とするボルトが垂設され、
上記ポスト部材のナット受部には、上記ボルトにら着してそれ自体が回転されることにより支受部材の高さ変化を可能とする調節ナットが回転可能に取り付けられ、
上記ボルトの調節ナットよりも上側には、ナット受部および／またはポスト部材の外周面に形成された雄ねじ部にら合することにより、上記調節ナットをロックするロックナットがら着し、
上記ロックナットは、工具が嵌着される工具嵌着部が形成された上側ナット部と、上記上側ナット部の下端に設けられた袋ナット部とから構成され、
上記上側ナット部は支受部材に垂設されたボルトにら着し、上記袋ナット部はナット受部および／またはポスト部材の外周面に形成された雄ねじ部にら合し、
ロックナットの袋ナット部を雄ねじ部にら合させてねじ込むことにより、ボルトが上向きに引っ張られて調節ナットがロックされるように構成されていることを特徴とする床荷重支持具。
【請求項２】
上記調節ナットは、工具が嵌着される工具嵌着部と、上記工具嵌着部に垂設された円筒部とを備えて構成され、上記円筒部がナット受部に形成された摺動穴に摺動回転可能に挿入され、工具嵌着部から円筒部までの全長に渡ってボルトにら着するための雌ねじ部が形成されている請求項１記載の床荷重支持具。
【発明の詳細な説明】
【技術分野】
【０００１】
本発明は、戸建住宅や集合住宅等の建物の床下において床荷重を支持する床荷重支持具に関するものである。
【背景技術】
【０００２】
従来から、戸建住宅等の建物の床下で大引を支受する束としては、木製のものが用いられてきた。このような木製束は、基礎から大引までの高さを計測し、木材を切断場所に運んで上記計測寸法に合わせて切断し、この所定寸法の木材を基礎上に設置して大引を支受することが行われる。上記一連の作業が複数の作業員によって行われる場合も多く、高さの計測と木材の切断・取付が違う作業員によって行われ、取付場所が間違えられることもしばしばある。このような場合には、束の高さを大引の高さに調節するため、楔型に切断した木材を隙間に打ち込むことが行われている。
【０００３】
上記のような木製束では、木材を所定寸法に切断する作業や、楔による高さ調節作業が極めて煩雑である。しかも、木材の吸水や乾燥等によってソリが生じ易く、荷重による変形も生じやすい。また、束材には主として端材が用いられるため材質もバラバラで、変形や狂いも材質によって差があるため、精度面に問題がある。
【０００４】
そこで、最近では、木製束に代わって、下記の特許文献１に示すような鋼製の床荷重支持具が利用されるようになってきている。この床荷重支持具１０１は、パイプ胴１１０と、このパイプ胴１１０の一端に装着される床受け部材１２０と、パイプ胴１１０の他端に装着されたベースプレート１３０と、ロック袋ナット１４０とを備えている。
【０００５】
上記パイプ胴１１０は、床受け部材１２０が接合される上部接合部１１２と、ベースプレート１３０が接合される下部接合部１１３とを有している。上記上部接合部１１２は、上部接合部材１１４をパイプ胴本体１１１上端に回転不能かつ離脱不自在に装着することにより形成されている。上記上部接合部材１１４は、上端部に鍔１１５ａを有しかつ外周に所要数の環状溝１１２ａを有してなる所定形状の筒状の外側部材１１５と、ナット１１６ａと該ナット１１６ａ下面に一体的に形成された円筒体１１６ｃとを有する内側部材１１６とを備えている。
【０００６】
上記円筒体１１６ｃは、外径が前記外側部材１１５に回転可能に嵌入される寸法に設定され、内径が前記ナット１１６ａにら合されるボルト１２６の進退に支障のない寸法に設定され、長さが円筒体１１６ｃが外側部材１１５に嵌入された際に外側部材１１５の下面から所定量突出する寸法に設定されている。そして、上記円筒体１１６ｃの外側部材１１５の下面から突出している部分を外方に折り曲げて外側部材１１５の下面に当接させることにより、内側部材１１６が外側部材１１５に回転可能かつ離脱不能に装着されている。
【０００７】
さらに、上記上部接合部材１１４の回転不能かつ離脱不自在の装着は、上部接合部材１１４をパイプ胴本体１１１上端部に嵌入させた状態で、前記環状溝１１２ａにパイプ胴本体１１１が圧入されることによりなされている。
【０００８】
上記ロック袋ナット１４０は、下部に収納空間１４１を有し、かつ上部にナット１４２が形成されている。上記収納空間１４１は、前記内側部材１１６のナット１１６ａを若干の余裕をもって収納できる大きさに設定されることにより、上部接合部材１１４の内側部材１１６のナット１１６ａの遊びが吸収される。このロック袋ナット１４０は、床受け部材１２０のボルト１２６にら着される。この状態で、ロック袋ナット１４０の下端面が外側部材１１５の上面１１５ｃを押圧して内側部材１１６のナット１１６ａをロックするようになっている。
【特許文献１】特許第２９７７８１２号公報
【発明の開示】
【発明が解決しようとする課題】
【０００９】
しかしながら、上記床荷重支持具１０１では、外側部材１１５の外周部に環状溝１１２ａを形成し、環状溝１１２ａにパイプ胴本体１１１を圧入していることから、部品形状の複雑化を招いている。また、パイプ胴本体１１１と外側部材１１５の回転不能かつ離脱不自在の装着状態に緩みが生じやすいという問題がある。特に、施工後の住宅で生活を初めて床荷重が繰り返しかかったときに緩みが生じやすい。この接合部に緩みが生じると、床荷重がかかるたびに金属部品同士が擦れ合う時に生じる異音が発生し、床鳴りとなる不都合が生じる。
【００１０】
また、上記床荷重支持具１０１では、ロック袋ナット１４０の下端面が外側部材１１５の上面１１５ｃを押圧して内側部材１１６のナット１１６ａをロックしている。このため、外側部材１１５の上端外周に鍔１１５ａを設けることを行なわねばならず、部品形状の複雑化を招いている。そして、ロック袋ナット１４０の下端面と外側部材１１５の上面１１５ｃとの摩擦だけでロックを行なっていることから、床荷重が繰り返しかかったときに、この部分に緩みが生じやすい。この接合部に緩みが生じると、床荷重がかかるたびに金属部品同士が擦れ合う時に生じる異音が発生し、床鳴りとなる不都合が生じる。
【００１１】
本発明は、このような事情に鑑みなされたもので、ロックを確実に行い長期間使用しても異音の発生が少ない床荷重支持具の提供をその目的とする。
【課題を解決するための手段】
【００１２】
上記目的を達成するため、本発明の床荷重支持具は、ベース部材と、床荷重を支受する支受部材とを備え、上記ベース部材と支受部材との間において支受部材の高さ調節を可能となるように構成された床荷重支持具であって、
上記ベース部材には上端部にナット受部が一体的に設けられた筒状のポスト部材が立設されるとともに、上記支受部材には支受部材の高さ調節を可能とするボルトが垂設され、
上記ポスト部材のナット受部には、上記ボルトにら着してそれ自体が回転されることにより支受部材の高さ変化を可能とする調節ナットが回転可能に取り付けられ、
上記ボルトの調節ナットよりも上側には、ナット受部および／またはポスト部材の外周面に形成された雄ねじ部にら合することにより、上記調節ナットをロックするロックナットがら着し、
上記ロックナットは、工具が嵌着される工具嵌着部が形成された上側ナット部と、上記上側ナット部の下端に設けられた袋ナット部とから構成され、
上記上側ナット部は支受部材に垂設されたボルトにら着し、上記袋ナット部はナット受部および／またはポスト部材の外周面に形成された雄ねじ部にら合し、
ロックナットの袋ナット部を雄ねじ部にら合させてねじ込むことにより、ボルトが上向きに引っ張られて調節ナットがロックされるように構成されていることを要旨とする。
【発明の効果】
【００１３】
すなわち、本発明の床荷重支持具は、ベース部材に立設されたポスト部材にはナット受部が一体的に設けられている。このため、従来の床荷重支持具のように部品形状が複雑化しないうえ、施工後の住宅で生活を始めて床荷重が繰り返しかかったときにもこの部分には緩みが一切生じない。したがって、長期間使用してもこの部分からの異音の発生は皆無である。また、本発明の床荷重支持具は、ロックナットは、ボルトの調節ナットよりも上側においてボルトにら着するとともに、ナット受部および／またはポスト部材の外周面に形成された雄ねじ部にら合することにより上記調節ナットをロックする。このため、従来の床荷重支持具のように部品形状が複雑化しない。そのうえ、従来品のように単純な面同士の摩擦だけでロックするのではなく、ナット受部および／またはポスト部材の外周面に形成された雄ねじ部とのら合によるら進を伴いながら調節ナットをロックし、ロックが飛躍的に確実に行なわれるようになる。したがって、施工後の住宅で生活を始めて床荷重が繰り返しかかったときにも、緩みがほとんど生じることがなくなり、異音や床鳴りを大幅に低減することができる。
【００１４】
本発明において、上記調節ナットは、工具が嵌着される工具嵌着部と、上記工具嵌着部に垂設された円筒部とを備えて構成され、上記円筒部がナット受部に形成された摺動穴に摺動回転可能に挿入され、工具嵌着部から円筒部までの全長に渡ってボルトにら着するための雌ねじ部が形成されている場合には、調節ナットがボルトにら着している接合長さが長くなり、ロックナットによるロックがかかったときに、ロックが一層確実に行なわれるようになる。したがって、施工後の住宅で生活を始めて床荷重が繰り返しかかったときにも、緩みがほとんど生じることがなくなり、異音や床鳴りを大幅に低減することができる。
【発明を実施するための最良の形態】
【００１５】
つぎに、本発明の床荷重支持具を実施するための最良の形態を説明する。
【００１６】
図１および図２は、本発明の床荷重支持具１の一実施形態を示す。この床荷重支持具１は、主要部材が鋼から形成され、ベース部材１０と、床荷重を支受する支受部材１１とを備え、上記ベース部材１０と支受部材１１との間において支受部材１１の高さ調節を可能となるように構成されている。
【００１７】
上記ベース部材１０には、上端部にナット受部１２が一体的に設けられた円筒状のポスト部材１３が立設されている。
【００１８】
上記ベース部材１０は、中央部に上向きの膨らみ部２２が形成されたプレート状であり、上記ポスト部材１３は、ベース部材１０の膨らみ部２２に対して溶接等により回転および取り外し不可能に固定されている。
【００１９】
上記ナット受部１２は、ポスト部材１３の上端部に溶接により回転および取り外し不可能に取り付けられている。上記ナット受部１２は、やや厚みのあるリング状を呈しており、中央部に上下に貫通する摺動穴２０が穿設されている。また、上記ナット受部１２はポスト部材１３の外形よりも少し大きな外形寸法に設定され、その外径部に雄ねじ部１６が形成されている。
【００２０】
一方、上記支受部材１１には、支受部材１１の高さ調節を可能とするボルト１４が垂設されている。上記支受部材１１は、中央部に下向きの膨らみ部２３が形成されたプレート状であり、上記ボルト１４は、支受部材１１の膨らみ部２３に対して溶接等により回転および取り外し不可能に固定されている。また、上記支受部材１１の上面には、床材や大引け等を支受する際に、クッションとして機能するポリエチレン樹脂製の弾性板２４が取り付けられている。
【００２１】
上記ポスト部材１３のナット受部１２には、上記ボルト１４にら着してそれ自体が回転されることにより支受部材１１の高さ変化を可能とする調節ナット１５が回転可能に取り付けられている。上記調節ナット１５は、外周が六角形に形成されてスパナ等の工具が嵌着される工具嵌着部１８と、上記工具嵌着部１８に垂設された円筒部１９とを備えて構成されている。
【００２２】
上記円筒部１９は、ナット受部１２に形成された上記摺動穴２０に摺動回転可能に挿入され、下端部に外側に張り出すフランジ部２５が形成されている。これにより、上記調節ナット１５は、ナット受部１２に対して回転可能かつ取り外し不可能に取り付けられている。そして、上記調節ナット１５には、工具嵌着部１８から円筒部１９まで縦方向に貫通するねじ穴２６が形成され、工具嵌着部１８から円筒部１９までの全長に渡ってボルト１４にら着するための雌ねじ部２１が形成されている。
【００２３】
これにより、上記ねじ穴２６にボルト１４がねじ込まれた状態で、スパナ等の工具を調節ナット１５の工具嵌着部１８に嵌着させて調節ナット１５を回転させることにより、ボルト１４を上下させて支受部材１１の高さ調整を行ない得るようになっている。
【００２４】
上記ボルト１４の調節ナット１５よりも上側には、ナット受部１２の外周面に形成された雄ねじ部１６にら合することにより、上記調節ナット１５をロックするロックナット１７がら着している。
【００２５】
上記ロックナット１７は、外周が六角形に形成されてスパナ等の工具が嵌着される工具嵌着部２７が形成された上側ナット部２９と、上記上側ナット部２９の下端外周部から少し外側に拡がるように設けられた袋ナット部２８とから構成されている。上記上側ナット部２９は支受部材１１に垂設されたボルト１４にら着し、上記袋ナット部２８はナット受部１２の外周面に形成された雄ねじ部１６にら合している。
【００２６】
上記床荷重支持具１は、例えば、つぎのようにして用いることができる。
【００２７】
まず、ロックナット１７の上側ナット部２９を支受部材１１に取り付けられたボルト１４にねじ込んでら着させる。このとき、袋ナット部２８がボルト１４の先端側に位置するようにねじ込むことが行われる。ロックナット１７を支受部材１１近傍までねじ込んでボルト１４の先端側を大きく露出させる。
【００２８】
ついで、ロックナット１７がねじ込まれたボルト１４の先端を調節ナット１５のねじ穴２６にねじ込んでら着させ、ベース部材１０から支受部材１１上面までの高さが所望の寸法近くなるまでねじ込む。このとき、支受部材１１側を回転させてもよいし、調節ナット１５を回転させてもよい。
【００２９】
そして、支受部材１１の上面に大引け等の床構成部材を固定し、その状態でベース部材１０を基礎等の上に載置して固定する。支受部材１１への床構成部材の固定は、釘、ねじ、接着剤等を用いて行なうことができる。また、基礎等へのベース部材１０の固定は、釘、ねじ、接着剤、アンカーボルト等を用いて行なうことができる。
【００３０】
そして、この状態で、スパナ等の工具を調節ナット１５の工具嵌着部１８に嵌合させて回転させ、支受部材１１上面の高さ調節を行なう。所定の高さに調節できたところで、ロックナット１７を回転させて下向きにら進させ、ナット受部１２外周の雄ねじ部１６に袋ナット部２８をら合させ、スパナ等の工具を工具嵌着部２７に嵌合させてしっかりとねじ込む。このねじ込みにより、ボルト１４が上向きに引っ張られて調節ナット１５がロックされる。
【００３１】
以上のように、上記床荷重支持具１によれば、ベース部材１０に立設されたポスト部材１３にはナット受部１２が一体的に設けられている。このため、従来の床荷重支持具のように部品形状が複雑化しないうえ、施工後の住宅で生活を始めて床荷重が繰り返しかかったときにもこの部分には緩みが一切生じない。したがって、長期間使用してもこの部分からの異音の発生は皆無である。また、上記床荷重支持具１は、ロックナット１７は、ボルト１４の調節ナット１５よりも上側においてボルト１４にら着するとともに、ナット受部１２の外周面に形成された雄ねじ部１６にら合することにより上記調節ナット１５をロックする。このため、従来の床荷重支持具のように部品形状が複雑化しない。そのうえ、従来品のように単純な面同士の摩擦だけでロックするのではなく、ナット受部１２の外周面に形成された雄ねじ部１６とのら合によるら進を伴いながら調節ナット１５をロックし、ロックが飛躍的に確実に行なわれるようになる。したがって、施工後の住宅で生活を始めて床荷重が繰り返しかかったときにも、緩みがほとんど生じることがなくなり、異音や床鳴りを大幅に低減することができる。
【００３２】
また、上記調節ナット１５は、工具が嵌着される工具嵌着部１８と、上記工具嵌着部１８に垂設された円筒部１９とを備えて構成され、上記円筒部１９がナット受部１２に形成された摺動穴２０に摺動回転可能に挿入され、工具嵌着部１８から円筒部１９までの全長に渡ってボルト１４にら着するための雌ねじ部２１が形成されているため、調節ナット１５がボルト１４にら着している接合長さが長くなり、ロックナット１７によるロックがかかったときに、ロックが一層確実に行なわれるようになる。したがって、施工後の住宅で生活を始めて床荷重が繰り返しかかったときにも、緩みがほとんど生じることがなくなり、異音や床鳴りを大幅に低減することができる。
【００３３】
なお、上記実施形態では、ナット受部１２の外周部に形成した雄ねじ部１６にロックナット１７をら合させて調節ナット１５のロックを行なうようにしたが、上記雄ねじ部１６はポスト部材１３の外周部に形成することもできるし、ナット受部１２とポスト部材１３双方の外周部に渡って設けるようにすることもできる。
【００３４】
また、上記実施の形態では、弾性板２４をポリエチレン樹脂で形成したが、これに限定されるものではなく、天然ゴム，合成ゴム等の各種ゴム材料や、ウレタン系樹脂，シリコーン系樹脂等の各種樹脂材料等各種の材料を用いることができる。
【００３５】
また、上記実施の形態では、支受部材１１としてプレート状のものを用いた例を示したが、これに限定するものではなく、Ｌ型やコ字状に形成することもできる。さらに、本実施形態の床荷重支持具１は、戸建て住宅やマンションや集合住宅等において使用することができるが、これらに限定するものではなく、ベランダや庭，公園等屋外で床材等を張る場合にも使用することができる。
【図面の簡単な説明】
【００３６】
【図１】本発明の１実施形態床荷重支持具を示す側面図である。
【図２】上記床荷重支持具の断面図である。
【図３】従来品の床荷重支持具の断面図である。
【図４】上記従来品の要部断面図である。
【図５】上記従来品のロック袋ナットを示す図である。
【符号の説明】
【００３７】
１      床荷重支持具
１０      ベース部材
１１      支受部材
１２      ナット受部
１３      ポスト部材
１４      ボルト
１５      調節ナット
１６      雄ねじ部
１７      ロックナット
１８      工具嵌着部
１９      円筒部
２０      摺動穴
２１      雌ねじ部
２２      膨らみ部
２３      膨らみ部
２４      弾性板
２５      フランジ部
２６      ねじ穴
２７      工具嵌着部
２８      袋ナット部
２９      上側ナット部
１０１      床荷重支持具
１１０      パイプ胴
１１１      パイプ胴本体
１１２      上部接合部
１１２ａ    環状溝
１１３      下部接合部
１１４      上部接合部材
１１５      外側部材
１１５ａ    鍔
１１５ｃ    上面
１１６      内側部材
１１６ａ    ナット
１１６ｃ    円筒体
１２０      床受け部材
１２６      ボルト
１３０      ベースプレート
１４０      ロック袋ナット
１４１      収納空間
１４２      ナット
【図１】
0005090818.tif 000002
【図２】
0005090818.tif 000003
【図３】
0005090818.tif 000004
【図４】
0005090818.tif 000005
【図５】
0005090818.tif 000006